(57)【要約】【課題】ヒータなどの熱源を設けることなく蓄電装置が低温になるのを防止し、低温環境下においても、十分な充放電性能が得られるようにすること。【解決手段】電力系統に余剰電力が発生すると、電力貯蔵装置１１，１２のＤＣ−ＤＣコンバータ２ａ，２ｂは蓄電装置１ａ，１ｂに充電電流を流して蓄電量を上昇させ、電力系統が電力不足になると蓄電装置１ａ，１ｂを放電させる。電力貯蔵装置１１，１２が待機状態になり蓄電装置１ａ，１ｂが低温になると、保温制御部３は、一定時間内における充放電電力の和が常に０であって、電力貯蔵システムと電力系統の間での電力の送受がないように、電力貯蔵装置１１，１２の蓄電装置１ａ，１ｂを充放電させる。この充放電動作を、全ての電力貯蔵装置１１，１２において所定の周期で繰返し行わせることにより、上記各電力貯蔵装置１１，１２の蓄電装置１ａ，１ｂの温度を上昇させる。【選択図】          図１
2008148408.tif 000002
【特許請求の範囲】
【請求項１】
蓄電装置と、電力系統に接続され蓄電装置を充放電させるＤＣ／ＤＣコンバータから構成され、電力系統に余剰電力が発生したときに上記蓄電装置を充電し、電力不足が発生したときに蓄電装置を放電させる電力貯蔵装置が複数設置された電力貯蔵システムにおける蓄電装置の保温制御方法であって、
上記複数の電力貯蔵装置から構成される電力貯蔵システム内において、一定時間内における充放電電力の和が常に０であって、電力貯蔵システムと電力系統の間での電力の送受がないように、電力貯蔵装置の内の少なくとも一部の電力貯蔵装置から電力を放電させると同時に、該放電された電力と同じ電力で他の一部の電力貯蔵装置を充電させる充放電動作を行わせ、
上記充放電動作を、全ての電力貯蔵装置において所定の周期で繰返し行わせることにより、上記各電力貯蔵装置の蓄電装置の温度を上昇させ、
全ての電力貯蔵装置の蓄電装置が、所望の性能および寿命を維持できるように保温することを特徴とする電力貯蔵システムにおける蓄電装置の保温制御方法。
【請求項２】
蓄電装置と、電力系統に接続され蓄電装置を充放電させるＤＣ／ＤＣコンバータから構成され、電力系統に余剰電力が発生したときに上記蓄電装置を充電し、電力不足が発生したときに蓄電装置を放電させる電力貯蔵装置がｎ（ｎ≧２）台設置された電力貯蔵システムにおける蓄電装置の保温制御方法であって、
上記ｎ（ｎ≧２）台の電力貯蔵装置をｍ群に分割し、ｍ群の電力貯蔵装置の内のｋ番目の群の電力貯蔵装置から電力を放電させると同時に、上記放電された電力と同じ電力をｊ（ｋ≠ｊ）番目の群の電力貯蔵装置に充電する充放電動作を行わせ、上記ｋ，ｊ番目以外の群の電力貯蔵装置を待機させて充放電はしない状態とし、
上記充放電動作を、上記ｊ，ｋを変えながら、ｍ群の全ての電力貯蔵装置において所定の周期で繰返し行わせることにより、上記各電力貯蔵装置の蓄電装置の温度を上昇させ、  全ての電力貯蔵装置の蓄電装置が、所望の性能および寿命を維持できるように保温することを特徴とする電力貯蔵システムにおける蓄電装置の保温制御方法。
【請求項３】
蓄電装置と、電力系統に接続され蓄電装置を充放電させるＤＣ／ＤＣコンバータから構成され、電力系統に余剰電力が発生したときに上記蓄電装置を充電し、電力不足が発生したときに蓄電装置を放電させる複数の電力貯蔵装置から構成される電力貯蔵システムであって、
上記複数の電力貯蔵装置の充放電を制御して、全ての電力貯蔵装置の蓄電装置が、所望の性能および寿命を維持できるように保温させる制御手段を備え、
上記制御手段は、上記複数の電力貯蔵装置から構成される電力貯蔵システム内の全ての電力貯蔵装置に対して、一定時間内における充放電電力の和が常に０であって、電力貯蔵システムと電力系統の間での電力の送受がないように、電力貯蔵装置の内の少なくとも一部の電力貯蔵装置に電力を放電させる放電パターンを送出し、また、それと同時に、他の一部の電力貯蔵装置に、該放電された電力と同じ電力で他の一部の電力貯蔵装置を充電させる充電パターンを送出し、
各電力貯蔵装置のＤＣ／ＤＣコンバータは、上記制御手段から送出される充電パターン、放電パターンにより蓄電装置を充放電し、上記各電力貯蔵装置の蓄電装置の温度を上昇させる
ことを特徴とする蓄電装置の保温機能を備えた電力貯蔵システム。
【発明の詳細な説明】
【技術分野】
【０００１】
本発明は、電力系統において余剰電力が発生したときに充電し、電力不足が発生したときに放電する電力貯蔵システムにおける蓄電装置の保温制御方法および電力貯蔵システムに関する。
【背景技術】
【０００２】
電力貯蔵装置は、電力系統において余剰電力が発生したときに充電し、電力不足が発生したときに放電するものであり、電力供給設備の負担を軽減することが可能であるため、省エネルギーに効果が大である。
しかし、電力が過不足無く供給されているときは待機状態となり、寒冷地などでは蓄電装置が低温となる。蓄電装置が低温となると、蓄電装置の内部抵抗が増大して充放電性能が低下し、電力の変動に十分対応できない状態となってしまう。この低温時における性能低下を防ぐため、ヒータ等、外部の熱源により蓄電装置を保温する必要があった。
【０００３】
例えば特許文献１には、鉛蓄電ユニットにヒータなどの加熱手段を設け、低温における放電容量の低下を防止し、かつ低温での完全充電を容易にした鉛蓄電ユニットが記載されている。
図７は低温時にヒータによる保温機能を有する電力貯蔵装置であり、１は蓄電装置、２はＤＣ／ＤＣコンバータ、Ｈはヒータである。図７に示されるものは、蓄電装置１が低温になると、ヒータＨにより蓄電装置を加熱し、性能低下を防ぐ。
ヒータによる保温機能を有する電力貯蔵装置は、低温環境下においても十分な充放電性能を満足でき、実用上十分であった。
【特許文献１】特許公開２００５−１５００６５号公報
【発明の開示】
【発明が解決しようとする課題】
【０００４】
上述したように従来から、ヒータなどの熱源を蓄電装置に設け、低温時にヒータにより蓄電装置を加熱し、蓄電装置の性能低下を防止することが行われていた。
しかし、ヒータ等の熱源は、本来の充放電機能に関係ない付加装置であり、コスト面及びメンテナンス面で問題があった。
本発明は上記事情に鑑みなされたものであって、本発明が解決しようとする課題は、ヒータなどの熱源を設けることなく蓄電装置が低温になるのを防止し、低温環境下においても、十分な充放電性能が得られるようにすることである。
【課題を解決するための手段】
【０００５】
本発明は、複数の電力貯蔵装置を用いた電力貯蔵システムにおいて、相互に充放電するこにより、蓄電装置の内部抵抗による発熱を利用して蓄電装置を保温する。
具体的には、以下のように電力貯蔵装置の充放電を制御して、蓄電装置を保温する。
（１）複数の電力貯蔵装置から構成される電力貯蔵システム内において、一定時間内における充放電電力の和が常に０であって、電力貯蔵システムと電力系統の間での電力の送受がないように、電力貯蔵装置の内の少なくとも一部の電力貯蔵装置から電力を放電させると同時に、該放電された電力と同じ電力で他の一部の電力貯蔵装置を充電させる充放電動作を行わせる。
そして、上記充放電動作を、全ての電力貯蔵装置において所定の周期で繰返し行わせることにより、上記各電力貯蔵装置の蓄電装置の温度を上昇させ、全ての電力貯蔵装置の蓄電装置が、所望の性能および寿命を維持できるように保温する。
（２）電力貯蔵装置がｎ（ｎ≧２）台設置された電力貯蔵システムにおいて、上記ｎ（ｎ≧２）台の電力貯蔵装置をｍ群に分割し、ｍ群の電力貯蔵装置の内のｋ番目の群の電力貯蔵装置から電力を放電させると同時に、上記放電された電力と同じ電力をｊ（ｋ≠ｊ）番目の群の電力貯蔵装置に充電する充放電動作を行わせ、上記ｋ，ｊ番目以外の群の電力貯蔵装置を待機させて充放電はしない状態とする。
そして、上記充放電動作を、上記ｊ，ｋを変えながら、ｍ群の全ての電力貯蔵装置において所定の周期で繰返し行わせることにより、上記各電力貯蔵装置の蓄電装置の温度を上昇させ、全ての電力貯蔵装置の蓄電装置が、所望の性能および寿命を維持できるように保温する。
【発明の効果】
【０００６】
本発明においては、複数の電力貯蔵装置を相互に充放電することによって保温しているので、蓄電装置を保温するためになんらの付加装置もなく、また、電力貯蔵装置と電力系統の間で電力の送受も発生させることなく、電力貯蔵装置内の充放電によって蓄電装置を保温できる。
このため、外部からの熱源を必要とせず、装置の構成を単純化することができ、電力貯蔵システムのコストダウンを図ることが可能となる。また、熱源などが不要なため、システムメンテナンスも容易となる。
【発明を実施するための最良の形態】
【０００７】
本発明においては、蓄電装置が低温になるのを防ぐために加熱するという目的を、外部の熱源を用いることなく、蓄電装置間の充放電に伴う内部抵抗による発熱を利用することで実現した。以下、本発明の具体的な実施の形態について説明する。
【０００８】
図１は、本発明に第１の実施例を示す図であり、２群の電力貯蔵装置を備えた電力貯蔵システムの概略構成図である。
図１において、１ａは１群蓄電装置、１ｂは２群蓄電装置、２ａは１群ＤＣ／ＤＣコンバータ、２ｂは２群ＤＣ／ＤＣコンバータ、１１は１群電力貯蔵装置、１２は２群電力貯蔵装置ある。また、３は上記１群、２群の電力貯蔵装置の蓄電装置を制御する保温制御部である。
保温制御部３には、蓄電装置１ａ，１ｂに取り付けられた温度センサ４ａ，４ｂにより測定された蓄電装置１ａ，１ｂの温度が入力され、蓄電装置１ａ，１ｂが低温となった場合、或いは今後低温となることが予想される場合、保温制御部３は蓄電装置１ａ，１ｂに充放電動作を行わせ、上記各電力貯蔵装置の蓄電装置の温度を上昇させる。
すなわち、保温制御部３は、一定時間内における充放電電力の和が常に０であって、電力貯蔵システムと電力系統の間での電力の送受がないように、電力貯蔵装置１１，１２の内の一方の電力貯蔵装置から電力を放電させると同時に、放電された電力と同じ電力で他の電力貯蔵装置を充電する。そして、この充放電動作を、全ての電力貯蔵装置１１，１２において所定の周期で繰返し行わせることにより、上記各電力貯蔵装置の蓄電装置の温度を上昇させる。
【０００９】
図２は上記各群の電力貯蔵装置１１，１２の構成例を示す図である。
同図において、２１はフィルタリアクトル、２２はフィルタコンデンサであり、フィルタリアクトル２１の一方端側には、直流き電系統の＋側が接続され、フィルタコンデンサ２２の接地側は、直流き電系統の−側が接続される。また、フィルタリアクトル２１の上記一方端側には架線電圧ＶＬを検出するための電圧検出器３２が設けられている。
上記フィルタコンデンサ２２の両端には、並列に第１のスイッチング素子２３、第２のスイッチング素子２４の直列回路が接続され、第１のスイッチング素子２３、第２のスイッチング素子２４の接続点には、スムージングリアクトル２５とスムージングコンデンサ２６から構成されるスムージングフィルタが接続される。
【００１０】
さらに、スムージングコンデンサ２６の両端には、電池などから構成される前記蓄電装置１が接続され、蓄電装置１には、蓄電装置１の電圧ＶＢを検出するための電圧検出器３４が設けられる。また、スムージングリアクトル２５と第１のスイッチング素子２３、第２のスイッチング素子２４の接続点間には、蓄電装置１の充放電電流ＩＢを検出する電流検出器３３が設けられている。
上記第１、第２のスイッチング素子２３，２４と、フィルタリアクトル２１、フィルタコンデンサ２２、スムージングリアクトル２５とスムージングコンデンサ２６によりＤＣーＤＣコンバータを構成しており、第１のスイッチング素子２３、第２のスイッチング素子２４をスイッチング動作させることにより蓄電装置１を充放電させることができる。
【００１１】
上記電圧検出手段３２により検出された架線電圧ＶＬ、電流検出器３３により検出された充放電電流（電池電流）ＩＢ、電圧検出器３４により検出された蓄電装置の電圧ＶＢは、制御部４１に送られる。
制御部４１は、架線電圧ＶＬなどに基づき電力系統に余剰電力が発生したかを判定し、電力系統に余剰電力が発生したとき、蓄電装置１へ余剰電力を充電し、また、電力系統が電力不足のときは、蓄電装置１を放電させる。
すなわち、電力系統に余剰電力が発生すると、上記ＤＣ−ＤＣコンバータを制御して、蓄電装置１に充電電流を流し、蓄電装置１の蓄電量を上昇させる。また、電力系統が電力不足になると上記ＤＣ−ＤＣコンバータを制御して、蓄電装置１を放電させる。
このように、蓄電装置１に充放電電流が流れているときには、内部抵抗による発熱により蓄電装置１は加熱され低温状態にはならない。
しかし、電力系統が平衡し、電力貯蔵装置が待機状態であるときに、寒冷地など周囲温度が低いところでは、蓄電装置１が低温となる。
蓄電装置１が低温になると、図１で説明したように保温制御部３による蓄電装置１の充放電が行われ、各電力貯蔵装置の蓄電装置の温度を上昇させる。
【００１２】
上記保温制御部３の動作について、さらに具体的に説明する。
図１に示すように、各蓄電装置１ａ，１ｂには、温度センサ４ａ，４ｂが取り付けられ、蓄電装置１ａ，１ｂの温度が保温制御部３に送られる。
保温制御部３は、例えば上記温度センサ４ａ，４ｂにより測定された蓄電装置１ａ，１ｂの温度信号が入力され、この温度信号に基づき保温動作の開始／停止を判定する判定部３ａと、充放電パターン発生部３ｂを備える。
判定部３ａは、上記温度センサ４ａ．４ｂにより測定された蓄電装置の１ａ，１ｂの温度に基づき、保温動作を開始させるか否かを判定する。例えば、蓄電装置１ａ，１ｂの内の一つの蓄電装置の温度が例えば０度より低下すると、判定部３ａは保温動作が必要であると判定し、充放電パターン発生部３ｂの動作を開始させる。
充放電パターン発生部３ｂは例えば、図３に示すような、所定の周期Ｔで充電と放電が交互に繰り返す充放電パターン信号を１群の電力貯蔵装置１１と２群の電力貯蔵装置１２に出力し、これにより、１群の電力貯蔵装置１１と２群の電力貯蔵装置１２は充放電を繰り返す。
【００１３】
すなわち、１群蓄電装置１ａの電力を、１群ＤＣ／ＤＣコンバータ２ａを介して放電させ、同時に１群蓄電装置１ａが放電する電力と同じ電力を２群ＤＣ／ＤＣコンバータ２ｂを介して２群蓄電装置１ｂに充電する。時間Ｔ経過後、さらに時間Ｔだけ、２群蓄電装置１ｂの電力を、２群ＤＣ／ＤＣコンバータ２ｂを介して放電し、同時に、２群蓄電装置１ｂが放電するのと電力と同じ電力を、１群ＤＣ／ＤＣコンバータ２ａを介して１群蓄電装置１ａに充電する。これを１周期として、すべての蓄電装置が、性能および寿命について十分な温度となるまでの間、繰り返す。
このとき、１周期の間で１群から２群へ移動する電力量と、２群から１群へ移動する電力量は等しくなるので、ｎ周期終了後の各群の蓄電量の差は充放電動作以前と等しくなる。また、電力貯蔵装置内での充放電電力の和は常に０となるので、電力貯蔵装置と電力系統の間では電力の送受は発生しない。
なお、上記２つの条件を満たすよう充放電させればよく、必ずしも図３のパターンで充放電を行う必要は無い。
上記充放電動作を所定の周期で繰返し行わせることにより、上記各電力貯蔵装置１１，１２の蓄電装置１ａ，１ｂの温度は上昇する。そして、全ての蓄電装置１ａ，１ｂの温度が例えば０度より高くなると、前記判定部３ａは、充放電パターン発生部３ｂの動作を停止させ、充放電動作を終了する。
【００１４】
図４は、本発明の第２の実施例を示す図であり、３群の電力貯蔵装置を備えた電力貯蔵システムの概略構成図である。
同図において、１ａは１群蓄電装置、１ｂは２群蓄電装置、１ｃは３群蓄電装置、２ａは１群ＤＣ／ＤＣコンバータ、２ｂは２群ＤＣ／ＤＣコンバータ、２ｃは２群ＤＣ／ＤＣコンバータ、１１は１群電力貯蔵装置、１２は２群電力貯蔵装置、１３は３群電力貯蔵装置、３は保温制御部であり、図５は３群の電力貯蔵装置を備えた電力貯蔵システムにおける保温充放電パターンを示す図である。
上記電力貯蔵装置１１，１２，１３は前記図２に示した構成を有し、前述したように、電力系統に余剰電力が発生したかを判定し、電力系統に余剰電力が発生したとき、電力系統から１群電力貯蔵回路１１、２群電力貯蔵回路１２及び３群電力貯蔵回路１３へ余剰電力を充電し、電力系統が電力不足のとき、１群電力貯蔵回路１１、２群電力貯蔵回路１２及び３群電力貯蔵回路１３から電力系統へ放電する。このように、蓄電装置に十分な電流が流れていると、内部抵抗による発熱により蓄電装置１ａ，１ｂ，１ｃは加熱され低温状態にはならない。
しかし、電力系統が平衡し、電力貯蔵装置が待機状態であるとき前述したように蓄電装置１が低温となる。
【００１５】
蓄電装置１が低温になると、図１で説明したように保温制御部３による蓄電装置１の充放電が行われ、各電力貯蔵装置の蓄電装置の温度を上昇させる。
保温制御部３には前記図１と同様、各蓄電装置１ａ，１ｂ，１ｃに取り付けられた温度センサ４ａ，４ｂ、４ｃにより測定された温度が入力され、この温度信号に基づき保温動作の開始／停止を判定する判定部３ａと、充放電パターン発生部３ｂを備える。
判定部３ａは、上記温度センサ４ａ．４ｂ，４ｃにより測定された蓄電装置の１ａ，１ｂ，１ｃの温度に基づき、保温動作を開始させるか否かを判定し、電力系統が平衡し、蓄電装置に流れる充放電電流が小さいとき、或いは電力貯蔵装置が待機状態であるときに、蓄電装置が低温となった場合、或いは今後低温となることが予想される場合、充放電パターン発生部３ｂの動作を開始させる。
例えば、蓄電装置１ａ，１ｂ，１ｃの内の一つの蓄電装置の温度が例えば０度より低下すると、判定部３ａは保温動作が必要であると判定し、充放電パターン発生部３ｂの動作を開始させる。
充放電パターン発生部３ｂは例えば、図５に示すような、所定の周期Ｔで充電と放電が交互に繰り返す充放電パターン信号を１群〜３群の電力貯蔵装置１１〜１３に出力する。
【００１６】
すなわち、２群蓄電装置１ｂの電力を、２群ＤＣ／ＤＣコンバータ２ｂを介して放電し、同時に２群蓄電装置２ｂが放電する電力と同じ電力を１群ＤＣ／ＤＣコンバータ２ａを介して１群蓄電装置１ａに充電する。３群蓄電装置１ｃは待機し、充放電はしない。
時間Ｔ経過後、３群蓄電装置１ｃの電力を、３群ＤＣ／ＤＣコンバータ２ｃを介して放電し、同時に３群蓄電装置１ｃが放電する電力と同じ電力を２群ＤＣ／ＤＣコンバータ２ｂを介して２群蓄電装置１ｂに充電する。１群蓄電装置１ａは待機し、充放電はしない。さらに時間Ｔ経過後、１群蓄電装置１ａの電力を、１群ＤＣ／ＤＣコンバータ２ａを介して放電し、同時に１群蓄電装置１ａが放電する電力と同じ電力を３群ＤＣ／ＤＣコンバータ２ｃを介して３群蓄電装置１ｃに充電する。２群蓄電装置は待機し充放電はしない。
上記の状態で時間Ｔ継続する。この一連の充放電動作を１周期として、すべての蓄電装置が、性能および寿命について十分な温度となるまでの間、繰り返す。
このとき、１周期の間の、各群における充電電力と放電電力の収支はつりあうので、ｎ周期終了後における各群の蓄電量の差は充放電動作以前と等しくなる。また、電力貯蔵装置内での充放電電力の和は常に０となるので、電力貯蔵装置と電力系統の間では電力の送受は発生しない。なお、上記の条件を満たすよう充放電をさせればよく、必ずしも図５のパターンで充放電を行う必要は無い。
【００１７】
図６は、本発明の第３の実施例を示す図であり、ｎ群の電力貯蔵装置を備えた電力貯蔵システムの概略構成図である。
同図において、１ａは１群蓄電装置、２ａは１群ＤＣ／ＤＣコンバータ、１１は１群電力貯蔵装置、１ｎはｎ群電力貯蔵装置である。
上記電力貯蔵装置１１〜１ｎは前記図２に示した構成を有し、前述したように、電力系統に余剰電力が発生したかを判定し、電力系統に余剰電力が発生したとき、電力系統から１群電力貯蔵装置１１〜ｎ群電力貯蔵装置１ｎまでの電力貯蔵装置へ余剰電力を充電し、電力系統が電力不足のとき、１群電力貯蔵装置１１〜ｎ群電力貯蔵装置１ｎまでの電力貯蔵装置から電力系統へ放電する。
このように、蓄電装置に十分な電流が流れていると、内部抵抗による発熱により蓄電装置１ａ，１ｂ，１ｃは加熱され低温状態にはならない。
しかし、電力系統が平衡し、電力貯蔵装置が待機状態であるとき前述したように蓄電装置１が低温となる。
蓄電装置１が低温になると、第１、第２の実施例で説明したように保温制御部３による蓄電装置１の充放電が行われ、各電力貯蔵装置の蓄電装置の温度を上昇させる。
【００１８】
例えば、電力貯蔵装置がｎ（ｎ≧２）台設置されている場合、ｎ（ｎ≧２）台の電力貯蔵装置をｍ群に分割し、ｍ群の電力貯蔵装置の内のｋ番目の群の電力貯蔵装置から電力を放電させると同時に、上記放電された電力と同じ電力をｊ（ｋ≠ｊ）番目の群の電力貯蔵装置に充電する充放電動作を行わせ、上記ｋ，ｊ番目以外の群の電力貯蔵装置を待機させて充放電はしない状態とする。そして、この充放電動作を、上記ｊ，ｋを変えながら、ｍ群の全ての電力貯蔵装置において所定の周期で繰返し行わせる。
以上のように、ある一定時間での各群における充電電力と放電電力の収支がつりあい、また、電力貯蔵装置内での充放電電力の和が常に０となるように、各電力貯蔵装置に充放電動作を行わせ、すべての蓄電装置が、性能および寿命について十分な温度となるまでの間繰り返す。
【図面の簡単な説明】
【００１９】
【図１】２つの電力貯蔵回路を備え、相互の充放電で蓄電装置を保温する本発明の第１の実施例の電力貯蔵システムの概略構成図である。
【図２】図１に示す電力貯蔵装置の構成例を示す図である。
【図３】２つの電力貯蔵回路を備えた電力貯蔵装置の保温充放電パターン例を示す図である。
【図４】３つの電力貯蔵回路を備え、相互の充放電で蓄電装置を保温する本発明の第２の実施例の電力貯蔵装置の概略構成図である。
【図５】３つの電力貯蔵回路を備えた電力貯蔵装置の保温充放電パターン例を示す図である。
【図６】ｎ個の電力貯蔵回路を備え、相互の充放電で蓄電装置を保温する本発明の第３の実施例の電力貯蔵システムの概略構成図である。
【図７】ヒータで蓄電装置を保温する従来の電力貯蔵システムの構成図である。
【符号の説明】
【００２０】
１      蓄電装置
１ａ  １群蓄電装置
１ｂ  ２群蓄電装置
１ｃ  ３群蓄電装置
２      ＤＣ／ＤＣコンバータ
２ａ  １群ＤＣ／ＤＣコンバータ
２ｂ  ２群ＤＣ／ＤＣコンバータ
２ｃ  ３群ＤＣ／ＤＣコンバータ
３    保温制御部
３ａ  判定部
３ｂ  充放電パターン発生部
４，４ａ〜４ｃ  温度センサ
１０  電力貯蔵装置
１１  １群電力貯蔵装置
１２  ２群電力貯蔵装置
１３  ３群電力貯蔵装置
１ｎ  ｎ群電力貯蔵装置
２１  フィルタリアクトル
２２  フィルタコンデンサ
２３  第一のスイッチング素子
２４  第二のスイッチング素子
２５  スムージングリアクトル
２６  スムージングコンデンサ
３２  電圧検出器
３３  電流検出器
３４  電圧検出器
４１  制御部
【図１】
2008148408.tif 000003
【図２】
2008148408.tif 000004
【図３】
2008148408.tif 000005
【図４】
2008148408.tif 000006
【図５】
2008148408.tif 000007
【図６】
2008148408.tif 000008
【図７】
2008148408.tif 000009